(57)【要約】【課題】  異なる表示レイアウトを持つ複数の表示画面の切り替えをすばやく行いながら現在選択している番組に関する番組情報を確認することができ、また、ユーザの目の疲れを低減できる番組情報表示装置を提供する。【解決手段】  電子番組表情報に基づいて複数の番組に関する情報を表示するための領域（ＥＰＧ表示領域２２等）と、上記領域に表示された複数の番組の中から選択された１つの番組に関して上記領域の情報よりも詳細な情報を表示するための番組情報表示領域２１とをそれぞれ含み、かつ、互いに異なる表示レイアウトを持つ複数の表示画面（ＥＰＧ画面２０等）を切り替えて表示する番組情報表示装置において、上記複数の表示画面の全てにおいて番組情報表示領域２１が共通の位置に固定されて表示されるように表示画面の表示を制御する。【選択図】  図１
2006210965.tif 000002
【特許請求の範囲】
【請求項１】
電子番組表情報に基づいて複数の番組に関する情報を表示するための領域と、上記領域に表示された複数の番組の中から選択された番組に関して上記領域の情報よりも詳細な情報を表示するための番組情報表示領域とをそれぞれ含み、かつ、互いに異なる表示レイアウトを持つ複数の表示画面を切り替えて表示する番組情報表示装置において、
上記複数の表示画面の全てにおいて番組情報表示領域が共通の位置に固定されて表示されるように表示画面の表示を制御する表示制御手段を備えることを特徴とする番組情報表示装置。
【請求項２】
電子番組表情報に基づいて電子番組表を表示するための電子番組表表示領域と、上記電子番組表表示領域に表示された複数の番組の中から選択された番組に関して上記電子番組表表示領域の情報よりも詳細な情報を表示するための番組情報表示領域とをそれぞれ含み、かつ、互いに異なる表示レイアウトを持つ第１および第２の表示画面を切り替えて表示する番組情報表示装置において、
上記第１および第２の表示画面において番組情報表示領域が共通の位置に固定されて表示されるように上記第１および第２の表示画面の表示を制御する表示制御手段を備えることを特徴とする番組情報表示装置。
【請求項３】
電子番組表情報に基づいて電子番組表を表示するための電子番組表表示領域と、上記電子番組表表示領域に表示された番組の中から選択された番組に関して上記電子番組表表示領域の情報よりも詳細な情報を表示するための番組情報表示領域とを含む第１の表示画面、および、電子番組表情報に含まれている番組の中で条件を満たす番組に関する複数の情報の一覧を表示するための一覧表示領域と、上記一覧表示領域に表示された複数の番組の中から選択された番組に関して上記一覧表示領域の情報よりも詳細な情報を表示するための番組情報表示領域とを含む第３の表示画面を切り替えて表示する番組情報表示装置において、
上記第１および第３の表示画面において番組情報表示領域が共通の位置に固定されて表示されるように上記第１および第３の表示画面の表示を制御する表示制御手段を備えることを特徴とする番組情報表示装置。
【請求項４】
上記表示制御手段は、番組情報表示領域がスクリーンの上部に表示されるように表示画面の表示を制御するものであることを特徴とする請求項１ないし３のいずれか１項に記載の番組情報表示装置。
【発明の詳細な説明】
【技術分野】
【０００１】
本発明は、電子番組表情報に基づいて、電子番組表情報に含まれている複数の番組に関する情報を表示するための領域と、上記領域に表示された番組の中から選択された番組に関して上記領域の情報よりも詳細な情報を表示するための番組情報表示領域とをそれぞれ含み、かつ、互いに異なる表示レイアウトを持つ複数の表示画面を切り替えて表示する番組情報表示装置に関するものである。
【背景技術】
【０００２】
従来から、電子番組表（電子番組ガイド(Electronic Program Guide)；以下、適宜「ＥＰＧ」と記す）やＥＰＧから抜き出された複数の番組の一覧（番組リスト）等のような複数の番組に関する情報を、異なる表示レイアウトを持つ表示画面に表示するための複数の情報表示モードを切り替えることが可能なＥＰＧの表示装置が使用されている。
【０００３】
例えば、特許文献１には、番組ジャンルなどに応じてＥＰＧの表示画面のレイアウトを変更する電子機器装置が開示されている。
【０００４】
しかしながら、各情報表示モードにおいて単にＥＰＧを表示するだけでは、ＥＰＧ中の番組に関する詳細な情報をユーザが知ることができない。
【０００５】
そこで、上記複数の情報表示モードを切り替えることが可能なＥＰＧの表示装置において、一部の情報表示モードにおいて、ＥＰＧ等と共に現在選択されている番組に関する詳細な情報（ＥＰＧ中に含まれる番組に関する情報（番組タイトルなど）よりも詳細な情報；例えば、番組タイトルに加えて番組の放送時間等の情報を含む情報；以下、「番組情報」と称する）を表示するものが使用されている。
【０００６】
例えば、出願人が本願出願時に販売している液晶テレビ「ＡＱＵＯＳ  Ｇシリーズ」（例えば２００４年９月１日発売の「ＬＣ−３７ＧＤ３」および「ＬＣ−３７ＧＤ４」）においては、複数の情報表示モードを切り替えることが可能となっており、かつ、上記一部の情報表示モードにおいて、現在選択されている番組に関する番組情報を表示するようになっている。
【０００７】
より詳細には、上記液晶テレビ「ＡＱＵＯＳ  Ｇシリーズ」は、
（１）ＥＰＧと共に、現在選択されている番組に関する番組情報を表示する基本の情報表示モード、
（２）ＥＰＧと共に、現在選択されている番組に関する番組情報、およびその番組に関する番組情報より詳細な情報（以下、「詳細番組情報」と称する）を表示する詳細番組情報表示モード、
（３）ジャンル検索を行うと共に、ジャンル検索条件に合致した番組の一覧を示す番組リストを表示するためのジャンル検索モード、および
（４）予約済みの番組の一覧を示す予約済み番組一覧表示モード
を切り替えることが可能となっている。また、これらの情報表示モードでは、操作ガイダンス（“上下左右カーソルキーで選択”、“選局は決定ボタンを押す”などの操作方法に関する情報）を表示するようになっている。
【特許文献１】特開２００４−２８２６４７号公報（２００４年１０月７日公開）
【発明の開示】
【発明が解決しようとする課題】
【０００８】
しかしながら、上記液晶テレビ「ＡＱＵＯＳ  Ｇシリーズ」は、基本の情報表示モード以外の情報表示モードのいずれにおいても、現在選択されている番組に関する番組情報を基本の情報表示モードと異なる位置に表示するか、あるいは現在選択されている番組に関する番組情報を表示しないようになっていた。
【０００９】
より詳細には、上記液晶テレビ「ＡＱＵＯＳ  Ｇシリーズ」において、基本の情報表示モードでは、スクリーンの最下部に操作ガイダンスを表示し、スクリーンにおける操作ガイダンスの上方に現在選択されている番組に関する番組情報を表示し、スクリーンにおける番組情報のさらに上方にＥＰＧを表示するようになっている。一方、詳細番組情報表示モードでは、スクリーンの最下部に操作ガイダンスを表示し、その操作ガイダンスの上方に現在選択されている番組に関する詳細番組情報を表示し、スクリーンにおける詳細番組情報のさらに上方に現在選択されている番組に関する番組情報を表示し、スクリーンにおける番組情報のさらに上方にＥＰＧを比較的狭い領域で表示するようになっている。したがって、番組情報は、基本の情報表示モードおよび詳細番組情報表示モードのいずれにおいてもスクリーンの下部に表示されるが、スクリーンにおける番組情報が表示される位置は、詳細番組情報表示モードでは、基本の情報表示モードよりも上の位置に移動する。
【００１０】
このように、基本の情報表示モードから他の情報表示モードを切り替えたときに、現在選択している番組に関する番組情報の表示位置が変更されると、現在選択している番組に関する番組情報がスクリーンのどこに表示されているのかをユーザがすぐに認識できない。それゆえ、切り替え後、現在選択している番組に関する番組情報の表示位置を確認するまでに時間がかかる。したがって、これら情報表示モードをすばやく切り替えながら現在選択している番組に関する番組情報を確認することができない。また、情報表示モードの切り替えを行う度に、現在選択している番組に関する番組情報が表示されている位置を探すための視線移動がユーザに必要となるので、ユーザの目を疲れさせてしまう。
【００１１】
また、上記液晶テレビ「ＡＱＵＯＳ  Ｇシリーズ」では、番組情報は、全ての情報表示モードで表示されるのではなく、ジャンル検索モード、予約済み番組一覧表示モードなどの情報表示モードでは表示されないようになっている。
【００１２】
このように、ジャンル検索モード、予約済み番組一覧表示モードなどの情報表示モードで選択された番組情報を表示しないと、これらの情報表示モードにおいて、特定の番組に関する詳細な情報をユーザが確認することができない。そのため、ユーザは、これらの情報表示モードのときに特定の番組に関する詳細な情報を確認したくなった場合、基本の情報表示モードに切り替える必要が生じる。さらに、基本の情報表示モードからこれらの情報表示モードを切り替えたときに、現在選択している番組に関する番組情報が表示されなくなるので、ユーザが、現在選択している番組に関する番組情報がスクリーンのどこかに表示されているのでないかと考えて、現在選択している番組に関する番組情報を探す無駄な作業をしてしまう可能性がある。したがって、これら情報表示モードをすばやく切り替えて使うことができない可能性がある。また、ユーザが、現在選択している番組に関する番組情報が表示されている位置を探すために多くの視線移動を行い、目を疲れさせてしまう可能性がある。
【００１３】
本発明は、上記の問題点に鑑みてなされたものであり、その目的は、異なる表示レイアウトを持つ複数の表示画面の切り替え（情報表示モードの切り替え）をすばやく行いながら現在選択している番組に関する番組情報を確認することができ、また、ユーザの目の疲れを低減できる番組情報表示装置を提供することにある。
【課題を解決するための手段】
【００１４】
本発明に係る番組情報表示装置は、上記課題を解決するために、電子番組表情報に基づいて複数の番組に関する情報を表示するための領域と、上記領域に表示された複数の番組の中から選択された番組に関して上記領域の情報よりも詳細な情報（番組情報）を表示するための番組情報表示領域とをそれぞれ含み、かつ、互いに異なる表示レイアウトを持つ複数の表示画面を切り替えて表示する番組情報表示装置において、上記複数の表示画面の全てにおいて番組情報表示領域が共通の位置に固定されて表示されるように表示画面の表示を制御する表示制御手段を備えることを特徴としている。
【００１５】
上記構成によれば、上記複数の表示画面の全てにおいて番組情報表示領域が共通の位置に固定されて表示されるようになっているので、表示画面の切り替えにより表示レイアウトが変更されたときに、番組情報が表示される領域（番組情報表示領域）が移動しない。そのため、ユーザは、スクリーン上の決まった位置を見れば、選択された番組に関する番組情報を見ることができる。したがって、さまざまな表示画面の切り替えをすばやく行いながら、現在選択している番組に関する番組情報を容易に確認することができる。
【００１６】
また、上記構成では、表示画面の切り替えにより表示レイアウトが変更されたときに、ユーザが、番組情報が表示される領域（番組情報表示領域）周辺に視線を固定していれば、視線の移動量を抑えることができる。その結果、ユーザの目の疲れを低減できる。
【００１７】
本発明に係る番組情報表示装置は、上記課題を解決するために、電子番組表情報に基づいて電子番組表を表示するための電子番組表表示領域と、上記電子番組表表示領域に表示された複数の番組の中から選択された番組に関して上記電子番組表表示領域の情報よりも詳細な情報を表示するための番組情報表示領域とをそれぞれ含み、かつ、互いに異なる表示レイアウトを持つ第１および第２の表示画面を切り替えて表示する番組情報表示装置において、上記第１および第２の表示画面において番組情報表示領域が共通の位置に固定されて表示されるように上記第１および第２の表示画面の表示を制御する表示制御手段を備えることを特徴としている。
【００１８】
上記構成によれば、上記第１および第２の表示画面において番組情報表示領域が共通の位置に固定されて表示されるようになっているので、第１および第２の表示画面の切り替えにより表示レイアウトが変更されたときに、番組情報が表示される領域（番組情報表示領域）が移動しない。そのため、ユーザは、スクリーン上の決まった位置を見れば、番組表中の選択された番組に関する番組情報を見ることができる。したがって、ユーザが、上記第１および第２の表示画面の切り替えをすばやく行いながら、現在選択している番組に関する番組情報を容易に確認することができる。また、それと共に、ユーザは、異なる表示レイアウトを持つ表示画面中で電子番組表等の情報を見ることができるので、電子番組表の情報量や、電子番組表以外の情報量を選択することが可能となる。
【００１９】
また、上記構成では、上記第１および第２の表示画面の切り替えにより表示レイアウトが変更されたときに、ユーザが、番組情報が表示される領域（番組情報表示領域）周辺に視線を固定していれば、視線の移動量を抑えることができる。その結果、ユーザの目の疲れを低減できる。
【００２０】
本発明に係る番組情報表示装置は、上記課題を解決するために、電子番組表情報に基づいて電子番組表を表示するための電子番組表表示領域と、上記電子番組表表示領域に表示された番組の中から選択された番組に関して上記電子番組表表示領域の情報よりも詳細な情報を表示するための番組情報表示領域とを含む第１の表示画面、および、電子番組表情報に含まれている番組の中で条件を満たす番組に関する複数の情報の一覧を表示するための一覧表示領域と、上記一覧表示領域に表示された複数の番組の中から選択された番組に関して上記一覧表示領域の情報よりも詳細な情報を表示するための番組情報表示領域とを含む第３の表示画面を切り替えて表示する番組情報表示装置において、上記第１および第３の表示画面において番組情報表示領域が共通の位置に固定されて表示されるように上記第１および第３の表示画面の表示を制御する表示制御手段を備えることを特徴としている。
【００２１】
上記構成によれば、上記第１および第３の表示画面において番組情報表示領域が共通の位置に固定されて表示されるようになっているので、第１および第３の表示画面の切り替えにより表示レイアウトが変更されたときに、番組情報が表示される領域（番組情報表示領域）が移動しない。そのため、ユーザは、スクリーン上の決まった位置を見れば、番組表中の選択された番組に関する番組情報を見ることができる。したがって、ユーザが、上記第１および第３の表示画面の切り替えをすばやく行いながら、現在選択している番組に関する番組情報を容易に確認することができる。
【００２２】
また、上記構成では、上記第１および第２の表示画面の切り替えにより表示レイアウトが変更されたときに、ユーザが、番組情報が表示される領域（番組情報表示領域）周辺に視線を固定していれば、視線の移動量を抑えることができる。その結果、ユーザの目の疲れを低減できる。
【００２３】
また、上記構成では、前述した液晶テレビ「ＡＱＵＯＳ  Ｇシリーズ」においては表示されていなかった第３の表示画面（電子番組表情報に含まれている番組の中で検索条件等の条件を満たす番組に関する複数の情報の一覧を表示する表示画面）においても、番組情報を表示するようになっている。そのため、ユーザは、検索条件等の条件を満たす番組に関する複数の情報の一覧を見ながら、第１の表示画面への切り替えを行うことなしに番組情報も確認することができる。
【００２４】
なお、本願明細書において、表示画面とは、番組情報表示装置のスクリーン上に表示される画像（ＯＳＤ(on-screen display)）を指すものとする。
【００２５】
本発明に係る番組情報表示装置は、番組情報以外の情報、特に電子番組表を高精細表示可能な表示部を備えていることが好ましい。これにより、実質的な表示面積が増加するので、番組情報以外の情報を表示する領域を実質的に増加できる。それゆえ、同一領域内に番組情報を表示することで番組情報以外の情報を表示する領域の自由度が下がっても、番組情報以外の情報を表示する面積を実質的に十分確保でき、番組情報以外の情報を見易く表示することができる。なお、上記液晶テレビ「ＡＱＵＯＳ  Ｇシリーズ」において、ジャンル検索モードおよび予約済み番組一覧表示モードにおいて番組情報を表示していないのは、これらのモードでは、基本の情報表示モードにおいて番組情報を表示していた領域を番組情報以外の情報（例えば検索条件）を表示する領域に割り当てることで、番組情報以外の情報を表示する領域を増やしていたためである。
【００２６】
また、本発明の番組情報表示装置において、上記表示制御手段は、番組情報表示領域がスクリーンの上部に表示されるように表示画面の表示を制御するものである上記番組情報をスクリーンの上部に表示することが好ましい。
【００２７】
上記構成によれば、スクリーンの下部より目に付きやすいスクリーンの上部に番組情報を表示することで、スクリーンの下部に番組情報を表示した場合と比較して、番組情報の視認性を向上させることができる。
【００２８】
また、一般に、電子番組表を含む表示画面を表示する装置では、電子番組表を含む表示画面以外に、設定メニュー画面などの操作画面を表示画面として表示できるようになっている。これら操作画面は、基本的にはスクリーンの上に寄せて表示される。例えば、出願人が販売しているテレビでは、設定メニュー画面をスクリーンの上半分に表示し、設定メニュー画面中で現在選択しているメニュー項目名をスクリーンの最上部に表示するようになっている。上記構成では、表示画面中において特に重要な情報である番組情報をスクリーンの上部に表示することにより、情報をスクリーンの上部に表示される操作画面との統一性を向上させることができる。
【００２９】
これに対し、液晶テレビ「ＡＱＵＯＳ  Ｇシリーズ」は、番組情報表示領域がスクリーンの下部にあるので、番組情報の視認性が劣る。
【００３０】
なお、上記液晶テレビ「ＡＱＵＯＳ  Ｇシリーズ」において番組情報をスクリーンの下部に表示していたのは、番組情報をスクリーンの最下部に表示される操作ガイダンスの近くに表示した方が、ユーザが、番組情報を見ているときに、操作ガイダンスを確認し易く、操作が分かり易いだろうとの考えに基づいたものである。したがって、操作ガイダンスとの連携性よりも番組情報の視認性を優先させて番組情報をスクリーンの下部に表示する代わりに、番組情報の視認性よりも操作ガイダンスとの連携性を優先させて番組情報をスクリーンの下部に表示することも可能である。
【００３１】
本発明の番組情報表示装置は、表示画面中の複数の番組に関する情報を表示する領域において、選択された番組がいずれであるかを番組名のハイライト表示等によって表示するようになっていることが好ましい。
【発明の効果】
【００３２】
本発明に係る番組情報表示装置は、以上のように、複数の表示画面において番組情報表示領域が共通の位置に固定されて表示されるように上記第１および第３の表示画面の表示を制御する表示制御手段を備えているので、異なる表示レイアウトを持つ複数の表示画面の切り替えをすばやく行いながら現在選択している番組に関する番組情報を確認することができ、また、ユーザの目の疲れを低減できる。
【発明を実施するための最良の形態】
【００３３】
〔実施の形態１〕
本発明の一実施形態について図１ないし図１６に基づいて説明すると、以下の通りである。
【００３４】
ここでは、本発明に係るＥＰＧ表示装置の実施の一形態として、コンテンツ（映像情報や音声情報）およびＥＰＧデータを含むデジタル放送波を受信し、受信したコンテンツ（映像情報や音声情報）を出力すると共に、受信したＥＰＧデータに基づいてデジタル放送の電子番組表を表示するデジタル放送受信機能付きテレビについて説明する。
【００３５】
デジタル放送としては、現在、ＢＳ（Broadcasting Satellite；放送衛星）を使用してテジタル信号による放送を行うＢＳデジタル放送、ＣＳ（Communication Satellite；通信衛星）を使用してテジタル信号による放送を行うＣＳデジタル放送、地上の電波塔から送信する地上波テレビ放送をデジタル化したもの。地上テジタル放送の３種類の放送が行われているが、デジタル放送テレビ１００は、これら３種類の放送のいずれも受信可能である。また、デジタル放送では、現在、テレビ放送、ラジオ放送、データ放送の３種類のサービスが行われている。これら３つのサービスで提供されるコンテンツは、テレビ放送では映像情報および音声情報、ラジオ放送では音声情報、データ放送では文字情報である。デジタル放送テレビ１００は、これら３種類のサービスのいずれにも対応しており、各サービスで提供されるコンテンツを映像および／または音声として出力することができる。なお、サービスの違いは、表示画面の表示レイアウトには関係がないため、以下の説明では、デジタル放送波がテレビ放送のものである場合について説明する。
【００３６】
図２に示すように、本実施形態に係るデジタル放送受信機能付きテレビ（以下、「デジタル放送テレビ」と称する）１００は、チューナ部２、デマルチプレクサ部３、電子番組表（以下、「ＥＰＧ」と記す）データ記憶部４、ＥＰＧ画面作成部５、ＥＰＧ画面出力部６、リモートコントローラ（以下、「リモコン」と略記する）受光部７、ＥＰＧ制御部８（表示制御手段）、画面レイアウト情報記憶部９、スクリーン上に映像を表示する表示部１０、映像・音声デコード部１１、音声出力部１２、検索部１３、および予約情報記憶部１４を備えている。
【００３７】
チューナ部２は、デジタル放送信号を搬送する高周波のデジタル放送波をデジタル放送の放送局から受信する外部のアンテナ１に接続されている。チューナ部２は、所望のチャンネルのデジタル放送波に同調することで、アンテナ１で受信されたデジタル放送信号の中から所望のチャンネルのデジタル放送信号を取り出すと共に、デジタル放送信号をベースバンドのビットストリーム信号に復調する。
【００３８】
チューナ部２で復調されるビットストリーム信号は、番組のコンテンツ（映像情報および音声情報）のビットストリーム信号、ＥＰＧ情報のビットストリーム信号などを多重化したものである。デマルチプレクサ部３は、この多重化されたビットストリーム信号から、ＥＰＧ情報のビットストリーム信号（以下、「ＥＰＧデータ」と称する）を取り出す。すなわち、デマルチプレクサ部３は、多重化されたビットストリーム信号を、映像情報のビットストリーム信号、音声情報のビットストリーム信号、ＥＰＧデータなどに分離する。また、デマルチプレクサ部３は、映像情報および音声情報のビットストリーム信号を映像・音声デコード部１１に送る。なお、ビットストリーム信号に含まれるＥＰＧデータは、テレビ放送の場合、通常、約１週間分（例えば８日間）のＥＰＧ（週間番組表）に関するＥＰＧデータである。
【００３９】
ＥＰＧデータ記憶部４は、デマルチプレクサ部３で取り出されたＥＰＧデータを記憶するものである。画面レイアウト情報記憶部９は、電子番組表、あるいは、電子番組表に含まれている番組の中で条件（検索条件や、「予約済みか？」という条件等）を満たす一部の番組（複数の番組）の一覧を表示するための表示領域を含む表示画面（以下、「ＥＰＧ画面」と称する）を表示する情報表示モード（以下、「ＥＰＧ表示モード」と称する）の各々について予め定められた画面レイアウトの情報を記憶するものである。この画面レイアウトの情報は、各ＥＰＧ表示モードにおける、ＥＰＧ画面の表示レイアウト、すなわちＥＰＧ画面中に含まれる複数の情報表示領域をどの位置に配置するかを示す情報である。画面レイアウトの情報は、日時検索モードのときを除いて、ＥＰＧ画面中の上部の同一位置に番組情報表示領域（後述する）を配置するものとなっている。
【００４０】
ＥＰＧ制御部８は、リモコン受光部７から送られたＥＰＧ画面の起動または切り替えを指示する指示信号に基づき、ＥＰＧ表示モードに応じたＥＰＧデータをＥＰＧデータ記憶部４から読み出してＥＰＧ画面作成部５に送ると共に、ＥＰＧ表示モードに応じた画面レイアウトの情報を画面レイアウト情報記憶部９から読み出してＥＰＧ画面作成部５に送る。ＥＰＧ制御部８は、特定のＥＰＧ表示モードでＥＰＧを表示させるユーザの指示を指示信号として受け、この指示信号に基づいて動作する。また、ＥＰＧ制御部８は、リモコン受光部７から送られた指示信号に基づいて、選択した番組を表示する領域のハイライト表示、カーソル移動などの処理を行うようにＥＰＧ画面作成部５を制御する。
【００４１】
ＥＰＧ画面作成部５は、ＥＰＧ制御部８による制御を受けて、これらＥＰＧデータおよび画面レイアウトの情報からＥＰＧ画面の画像信号を作成する。このとき、ＥＰＧ画面作成部５は、日時検索モードのときを除いて、表示部１０のスクリーンにおける同一位置に番組情報表示領域を表示させるような画像信号である。ＥＰＧ画面作成部５は、作成したＥＰＧ画面の画像信号をＥＰＧ画面出力部６に送る。
【００４２】
映像・音声デコード部１１は、デマルチプレクサ部３から送られた映像情報のビットストリーム信号を、表示部１０で処理可能な形式の映像信号に復号する処理（ＭＰＥＧ(Motion Picture Experts Group)２形式の映像信号の復号処理など）を行い、処理により得られた映像信号を表示部１０に送ると共に、デマルチプレクサ部３から送られた音声情報のビットストリーム信号を、音声出力部１２で処理可能な形式の音声信号に復号して音声出力部１２に送る。音声出力部１２は、映像・音声デコード部１１から送られた音声信号に応じて音声を出力する。
【００４３】
ＥＰＧ画面出力部６は、ＥＰＧ画面作成部５から送られたＥＰＧ画面の画像信号を受信機の出力信号として表示部１０に出力し、表示部１０にＥＰＧ画面を表示させる。ＥＰＧ画面出力部６は、必要に応じて、ＥＰＧ画面作成部５から送られたＥＰＧ画面の画像信号を映像・音声デコード部１１から送られた映像信号と合成し、得られた映像信号を表示部１０に出力する。すなわち、ＥＰＧ画面出力部６は、ユーザがデジタル放送を視聴している状態でＥＰＧ画面の表示を行う場合には、ＥＰＧ画面作成部５から送られたＥＰＧ画面の画像信号を映像・音声デコード部１１から送られた映像信号と合成し、得られた映像信号を表示部１０に出力する。一方、ＥＰＧ画面出力部６は、ユーザがデジタル放送を視聴していない状態でＥＰＧ画面の表示を行う場合には、ＥＰＧ画面作成部５から送られたＥＰＧ画面の画像信号を映像信号として表示部１０に出力する。なお、ＥＰＧ画面出力部６は、ＥＰＧ画面を表示しない通常の視聴状態においては、映像・音声デコード部１１から送られた映像信号を表示部１０にそのまま出力する。
【００４４】
検索部１３は、ジャンル検索モードおよび日時検索モードにおいて、ＥＰＧデータ記憶部４に記憶されたＥＰＧデータに含まれる複数の番組に関する情報の中から、ユーザが指定した検索条件あるいは初期設定の検索条件に合致する番組に関する情報を検索し、検索結果をＥＰＧ制御部８に送るものである。
【００４５】
予約情報記憶部１４は、図示しない予約処理部によって行われた予約処理の情報を記憶するものである。
【００４６】
リモコン受光部７は、リモコン２００からの信号を受信し、受信した信号に基づいてユーザがリモコン２００に入力した指示を判別し、その指示に応じた指示信号をＥＰＧ制御部８に送る。
【００４７】
リモコン２００は、図３に示すように、デジタル放送テレビ１００の表示部１０上にＥＰＧ画面を表示させるための番組表ボタン２０１、デジタル放送テレビ１００の表示部１０上に裏番組表を表示させるための裏番組表ボタン２０２、ＥＰＧ画面上のカーソル（ＥＰＧ表示領域中において、現在選択している番組のタイトルの位置に表示されるハイライト表示部分）を上へ移動させるための上カーソルキー２０３、ＥＰＧ画面上のカーソルを左へ移動させるための左カーソルキー２０４、ＥＰＧ画面上のカーソルを右へ移動させるための右カーソルキー２０５、ＥＰＧ画面上のカーソルを下へ移動させるための下カーソルキー２０６、ＥＰＧ画面上でカーソルのある位置の番組（現在選択している番組）を選局あるいは予約するための決定ボタン２０７、デジタル放送テレビ１００の表示部１０上へのＥＰＧ画面の表示を終了するための終了ボタン２０８、青ボタン２０９、赤ボタン２１０、緑ボタン２１１、および黄ボタン２１２を備えている。
【００４８】
リモコン２００は、そのボタン群の操作に応じて各種指示を表す信号をリモコン受光部７へ送るものである。リモコン２００は、例えば、番組表ボタン２０１が押下されたときには基本のＥＰＧ画面（後述するＥＰＧ画面２０）を起動する指示を表す信号を送り、基本のＥＰＧ画面が表示された状態で青ボタン２０９、赤ボタン２１０、緑ボタン２１１、または黄ボタン２１２が押下されたときには基本のＥＰＧ画面を他のＥＰＧ画面（後述するＥＰＧ画面３０、４０、５０、または６０）に切り替える指示を表す信号を送る。
【００４９】
デジタル放送テレビ１００は、異なる表示レイアウトを持つＥＰＧ画面（後述するＥＰＧ画面２０、３０、４０、５０、および６０）を表示する５種類のＥＰＧ表示モードを備え、これらＥＰＧ表示モードを切り替えて５種類のＥＰＧ画面を切り替え表示することが可能となっている。５種類のＥＰＧ表示モードは、（１）ＥＰＧおよび番組情報を含むＥＰＧ画面（基本画面）を表示する基本表示モード、（２）ＥＰＧ、番組情報、および詳細番組情報を含むＥＰＧ画面（番組情報画面）を表示する詳細番組情報表示モード、（３）ジャンル検索条件に合致した番組の一覧および番組情報表示領域を含むＥＰＧ画面（ジャンル検索画面）を表示するジャンル検索モード、（４）日時検索条件に合致した番組の一覧を含むＥＰＧ画面（日時検索画面）を表示する日時検索モード、および（５）予約済みの番組の一覧および番組情報を含むＥＰＧ画面（予約リスト画面）を表示する予約済み番組一覧モードである。
【００５０】
これら５種類のＥＰＧ表示モードの切り替え処理について、図１、および図４〜図１４に基づいて以下に説明する。
【００５１】
〔基本表示モード〕
デジタル放送テレビ１００は、通常は、表示部１０上にＥＰＧを表示させることなく選局中の番組の映像を表示している状態、すなわちユーザが番組を視聴している状態；以下、「通常視聴状態」と称する）にある。この通常視聴状態では、デジタル放送信号が、アンテナ１で受信され、チューナ部２でベースバンドのビットストリーム信号に復調される。そして、復調されたビットストリーム信号が、デマルチプレクサ部３にて、映像情報のビットストリーム信号、音声情報のビットストリーム信号、ＥＰＧデータなどに分離される。映像情報のビットストリーム信号は、映像・音声デコード部１１で復調された後、ＥＰＧ画面出力部６を介して表示部１０に送られ、映像として表示部１０に表示される。音声情報のビットストリーム信号は、映像・音声デコード部１１で復調された後、音声出力部１２に送られ、音声として音声出力部１２から出力される。ＥＰＧデータは、ＥＰＧデータ記憶部４に格納される。なお、ＥＰＧデータは、常に受信される必要はなく、常時受信していても良いし，所定のタイミングで、例えば、デジタル放送信号の受信を開始した時に受信されても良い。
【００５２】
図４に示すように、この通常視聴状態では、デジタル放送テレビ１００は、ユーザがリモコン２００の番組表ボタン２０１を押下するまでは、ＥＰＧ画面を起動せずに待機する（Ｓ１のＮＯ）。
【００５３】
そして、ＥＰＧ制御部８は、ユーザがリモコン２００の番組表ボタン２０１を押下すると（Ｓ１のＹＥＳ）、すなわち、リモコン受光部７からＥＰＧ画面の起動を指示する指示信号を受け取ると、デジタル放送テレビ１００は、デジタル放送の放送局から受信したＥＰＧデータに基づいて表示部１０にＥＰＧを表示する（Ｓ２）と同時に、上記ＥＰＧデータに基づいて、ＥＰＧ中に表示された複数の番組の中で現在選択されている１つの番組に関する番組情報（ＥＰＧ中の情報よりも詳細な情報）を表示部１０のスクリーンの上部に配置された番組情報表示領域に表示する（Ｓ３）。より詳細には、ＥＰＧ制御部８は、ユーザから番組の選択指示を受けていない初期状態では、ＥＰＧ中に表示された番組の中から１つの番組、例えば視聴している番組を選択し、どの番組を選択しているかを示す情報を記憶する。また、ＥＰＧ制御部８は、ユーザから番組の選択指示を受けた後は、ユーザの指示に従って番組を選択し、どの番組を選択しているかを示す情報を記憶する。ＥＰＧ制御部８は、リモコン受光部７から受信したＥＰＧの表示を指示する信号と、どの番組を選択しているかを示す情報とに基づき、基本表示モードに応じたＥＰＧデータ、すなわちＥＰＧ中に表示すべき情報（番組タイトルなど）および現在選択されている番組に関する番組情報をＥＰＧデータ記憶部４から読み出してＥＰＧ画面作成部５に送ると共に、基本表示モードに応じた画面レイアウトの情報を画面レイアウト情報記憶部９から読み出してＥＰＧ画面作成部５に送る。そして、ＥＰＧ画面作成部５が、ＥＰＧ中に表示すべき情報および現在選択されている番組に関する番組情報と、画面レイアウトの情報とから、ＥＰＧおよび番組情報を含むＥＰＧ画面の画像信号を作成する。そして、ＥＰＧ画面出力部６が、作成されたＥＰＧ画面の画像信号を表示部１０に出力することで、表示部１０にＥＰＧ画面を表示させる。以上のようにして、ＥＰＧ制御部８による制御の結果として、表示部１０にＥＰＧ画面が表示される。
【００５４】
その結果、図１に示すように、表示部１０（図２参照）のスクリーン１０ａ上にＥＰＧ画面２０（基本画面；第１の表示画面）が、視聴中の番組の映像に重ねて表示された状態となる。
【００５５】
ＥＰＧ画面２０は、図１に示すように、現在選択されている番組に関する番組情報を表示する番組情報表示領域（番組情報表示欄）２１と、ＥＰＧを表示するＥＰＧ表示領域２２と、操作ガイダンスを表示する操作ガイダンス表示領域２３とを含んでいる。
【００５６】
ＥＰＧ表示領域２２は、受信中のチャンネルと同一種類の放送（地上デジタル放送、ＢＳデジタル放送、またはＣＳデジタル放送）に属する複数のチャンネルで放送中あるいは放送予定の番組タイトルを時系列で一覧表示するものである。この例では、時間軸が横軸であり、各チャンネルの情報を表示する行が縦方向に並んでいる。また、番組タイトルの前にはその番組のジャンルを示すアイコンが表示されている。
【００５７】
ＥＰＧ表示領域２２では、常にいずれか１つの番組が選択された状態となる。通常の視聴状態からＥＰＧ画面２０を起動した場合、現在視聴中の番組が選択される。そして、現在選択されている番組のタイトル（カーソル位置の番組タイトル）がハイライト表示される。したがって、通常の視聴状態からＥＰＧ画面２０を起動した場合、現在視聴中の番組のタイトルがハイライト表示される。また、ＥＰＧ表示領域２２では、ユーザが、リモコン２００のカーソルキー２０３〜２０６を用いてカーソルを所望の番組のタイトルの位置に移動させることによって、その番組を選択することができるようになっている。なお、ハイライト表示とは、選択されている番組のタイトルを表示する領域を、選択されていない番組のタイトルを表示する領域と異なる形態（文字部分の色が異なる形態、背景部分の色が異なる形態、文字部分の輝度と背景部分の輝度との間の高低関係が異なる形態、領域を囲む線の太さが異なる形態など）で表示することを指す。
【００５８】
また、ＥＰＧ表示領域２２では、各チャンネルの番組タイトルを表示する行に、そのチャンネルのロゴ、そのチャンネルの番号、そのチャンネルに対応する放送局名、そのチャンネルを選択するボタンとして予め登録されているリモコン２００のチャンネルボタンの番号が表示される。また、各チャンネルの番組タイトルを表示する行の上には、各番組の放送時間帯が表示されている。放送時間帯の表示領域では、選んでいる番組の時間帯は、ハイライト表示される。ＥＰＧ表示領域２２に表示されるＥＰＧの時間幅は、例えば３時間や６時間など適宜設定すればよいが、図１の例では６時間である。また、ＥＰＧ表示領域２２に表示されるＥＰＧのチャンネル数は、特に限定されないが、図１の例では１５チャンネル（サービス）である。
【００５９】
番組情報表示領域２１は、ＥＰＧ表示領域２２でハイライト表示された番組に関する情報であり、その番組を放送するチャンネルのロゴ、その番組を放送する放送局の名称、その番組を放送するチャンネルの番号、およびその番組のジャンルを示すアイコンに加えて、ＥＰＧ表示領域２２に表示されている番組タイトル（途中までの簡易表示）よりも詳細な番組タイトル、および放送時間（何時から何時まで放送されるか）を含んでいる。また、番組情報として、その番組のデジタルコピーが禁止されていることを示すアイコン、その番組のデジタルコピーが１回のみ許可されていることを示すアイコン（図１の番組情報表示領域２１におけるチャンネル番号の下のアイコン）、その番組が視聴予約されていることを示すアイコン、その番組が録画予約されていることを示すアイコン、その番組が有料放送またはＰＰＶ（ペイパービュー）番組であることを示すアイコンなども表示される。したがって、ユーザは、番組情報を見ることで、ＥＰＧ表示領域２２からは読み取ることができない有益な情報（詳細な番組タイトル、放送時間、デジタルコピーの可否など）を読み取ることができる。番組情報表示領域２１は、ＥＰＧ画面２０におけるＥＰＧ表示領域２２より上の位置に配置され、かつ、表示部１０のスクリーン１０ａの上部に配置されている。
【００６０】
操作ガイダンス表示領域２３は、選んでいるネットワーク（地上デジタル放送、ＢＳデジタル放送、またはＣＳデジタル放送）およびメディア（テレビ放送、ラジオ放送、またはデータ放送）、選んでいる日および曜日、カラーボタン２０９〜２１１（青ボタン２０９、赤ボタン２１０、緑ボタン２１１、黄ボタン２１２）に関する操作ガイダンスを表示するものである。
【００６１】
ユーザは、視聴したい番組を視聴したり、番組を予約したりするのに、このＥＰＧ画面２０を使うことができる。すなわち、図４のＳ１およびＳ２が実行され、図１に示すＥＰＧ画面２０が表示された後、ユーザがカーソルキー２０３〜２０６を用いてカーソルを所望の番組の位置に移動させてその番組を選択し、決定ボタン２０７を押すと、選択した番組の視聴または予約を行うことができる。デジタル放送テレビ１００は、放送中の番組が選択されたときには選択された番組を選局し、未放送の番組が選択されたときには、予約選択画面に移行する。この予約選択画面は、視聴予約を行うか、録画予約を行うか、予約しないかを選択するものである。この選択をユーザが行うと、デジタル放送テレビ１００は、その選択に従った予約処理または予約キャンセル処理を行う。
【００６２】
なお、ＥＰＧ画面２０のＥＰＧ表示領域２２は、ユーザがカーソルキー２０３・２０６を用いてカーソルを上下に移動させるに従い、ＥＰＧを上下にスクロール表示するようになっている。これにより、ユーザが、ＥＰＧ表示領域２２に最初に表示されていないチャンネルの番組に関する情報を視聴したり選択したりすることができる。また、ＥＰＧ画面２０のＥＰＧ表示領域２２は、ユーザがカーソルキー２０４・２０５を用いてカーソルを左右に移動させるに従い、ＥＰＧを左右にスクロール表示するようになっている。これにより、ユーザが、ＥＰＧ表示領域２２に最初に表示されていない時間帯の番組に関する情報を視聴したり選択したりすることができる。
【００６３】
また、ＥＰＧ画面２０は、ユーザが終了ボタン２０８を押せば、消えるようになっている。すなわち、ユーザが終了ボタン２０８を押せば、表示部１０は、選局中の番組の映像を表示している状態（通常の視聴状態）に戻るようになっている。
【００６４】
〔詳細番組情報表示モード〕
図５に示すように、図１に示す基本画面２０が表示された状態では、デジタル放送テレビ１００は、ユーザがリモコン２００の青ボタン２０９を押下するまで（ただし、ユーザがリモコン２００の終了ボタン２０８またはカラーボタン２１０〜２１２を押下しない限り）、基本画面２０を表示し続ける（Ｓ１１のＮＯ）。
【００６５】
そして、ＥＰＧ制御部８は、ユーザがリモコン２００の青ボタン２０９を押下すると（Ｓ１１のＹＥＳ）、すなわち、基本画面２０から番組情報画面への切り替えを指示する指示信号をリモコン受光部７から受け取ると、デジタル放送テレビ１００は、基本表示モードから詳細番組情報表示モードに切り替わり、デジタル放送の放送局から受信したＥＰＧデータに基づいて、ＥＰＧ中に表示された複数の番組の中で現在選択されている１つの番組に関する詳細番組情報（番組情報にはない、番組情報よりもさらに詳細な情報；例えば番組の内容や出演者など）を詳細番組情報表示領域に表示する（Ｓ１２）。
【００６６】
より詳細には、ＥＰＧ制御部８が、番組を選択した後、どの番組を選択しているかを示す情報とに基づき、詳細番組情報表示モードに応じたＥＰＧデータ、すなわちＥＰＧ中に表示すべき情報（番組タイトルなど）と現在選択されている番組に関する番組情報および詳細番組情報とをＥＰＧデータ記憶部４から読み出してＥＰＧ画面作成部５に送ると共に、詳細番組情報表示モードに応じた画面レイアウトの情報を画面レイアウト情報記憶部９から読み出してＥＰＧ画面作成部５に送る。これにより、ＥＰＧ画面作成部５によって詳細番組情報を含むＥＰＧ画面の画像信号が作成される。
【００６７】
その結果、図６に示すような詳細番組情報を含むＥＰＧ画面３０（番組情報画面；第２の表示画面）が表示部１０に表示された状態となる。
【００６８】
ＥＰＧ画面３０は、図６に示すように、番組情報表示領域２１、ＥＰＧ表示領域２２Ａ、および操作ガイダンス表示領域２３に加えて、詳細番組情報表示領域３１を含んでいる。詳細番組情報表示領域３１は、ＥＰＧ表示領域２２で現在選択されている番組に関して、番組情報にはないさらに詳細な情報（以下、「詳細番組情報」と称する）、例えば番組の内容や出演者などを表示するものである。また、ＥＰＧ表示領域２２Ａは、ＥＰＧ表示領域２２より面積が狭く、一度に表示するＥＰＧのチャンネル数がＥＰＧ表示領域２２より少ない（図６の例では１０チャンネル）である点以外は、ＥＰＧ表示領域２２と同様の構成を備えている。このＥＰＧ画面３０では、番組情報表示領域２１がＥＰＧ画面２０における位置と同一の位置に配置され、詳細番組情報表示領域３１は、番組情報表示領域２１のすぐ下に配置されている。
【００６９】
図１に示すＥＰＧ画面２０と図６に示すＥＰＧ画面３０とを比較すれば分かるように、ＥＰＧ画面２０では、現在選択されている（現在ハイライト表示されている）番組に関する情報は、タイトル、放送時間、放送局名、チャンネル、ジャンルしかわからない。これに対し、ＥＰＧ画面３０では、番組の内容や出演者などの詳しい情報を詳細番組情報表示領域３１の中で見ることができる。ただし、その代わりに、ＥＰＧ表示領域２２の面積が狭いもの（ＥＰＧ表示領域２２Ａ）となり、ＥＰＧ表示領域２２に一度に表示されるチャンネル数が減少する（図の例では、１５チャンネルから１０チャンネルに減少する）。
【００７０】
そして、ＥＰＧ画面３０は、番組情報表示領域２１を、ＥＰＧ画面２０における表示位置と同一の位置（表示部１０のスクリーンの上部）に表示するようになっている。そのため、ＥＰＧ画面２０からＥＰＧ画面３０へ切り替えた後に、ユーザが、番組情報表示領域２１にのみ表示される現在選択されている番組に関する情報、例えば放送時間等を速やかにかつ容易に確認することができる。
【００７１】
なお、図６に示すＥＰＧ画面３０（番組情報画面）が表示された状態で、青ボタン２０９を押下すると（Ｓ１３のＹＥＳ）、デジタル放送テレビ１００は、詳細番組情報表示モードから基本表示モードに切り替わり、図１に示すＥＰＧ画面２０（基本画面）を表示部１０に表示させた状態に戻る。
【００７２】
〔ジャンル検索モード〕
ジャンル検索モードは、ユーザがニュース・報道、映画、音楽、バラエティーなどのジャンル別に番組を探すことができるモードである。ジャンル検索モードでは、デジタル放送テレビ１００が、番組表の中から特定のジャンルの番組を抜き出し、抜き出した番組の一覧を含む表示画面を表示部１０に表示させる。この例のジャンル検索モードでは、番組表の中から、特定のジャンルの番組であり、かつ、特定の時間帯（この例では６時間単位）の番組を抜き出し、抜き出した番組の一覧を含む表示画面を表示部１０に表示させる。
【００７３】
図７に示すように、図１に示す基本画面２０が表示された状態では、デジタル放送テレビ１００は、ユーザがリモコン２００の赤ボタン２１０を押下するまで（ただし、ユーザがリモコン２００の終了ボタン２０８またはカラーボタン２０９・２１１・２１２を押下しない限り）、基本画面２０を表示し続ける（Ｓ２１のＮＯ）。
【００７４】
そして、ＥＰＧ制御部８は、ユーザがリモコン２００の赤ボタン２１０を押下すると（Ｓ２１のＹＥＳ）、すなわち、基本画面２０からジャンル検索画面への切り替えを指示する指示信号をリモコン受光部７から受け取ると、デジタル放送テレビ１００は、基本表示モードからジャンル検索モードに切り替わり、デジタル放送の放送局から受信したＥＰＧデータに基づいて、特定のジャンルおよび時間帯の番組の一覧を表示する領域と、番組情報表示領域とを含むジャンル検索画面を表示する（Ｓ２２）。また、同時に、番組情報表示領域を空白にする（Ｓ２３）。
【００７５】
より詳細には、検索部１３が、まず、初期設定の検索条件、あるいはユーザによって指定された検索条件に基づいて、ＥＰＧデータ記憶部４に記憶されたＥＰＧデータ中に含まれる各番組の情報から検索条件を満たす番組を検索し、検索結果をＥＰＧ制御部８に送る。ＥＰＧ制御部８は、初期設定の選択条件あるいはユーザからの選択指示に基づき、検索により見つかった番組（検索条件を満たす番組）の中から１つの番組を選択した後、どの番組を選択しているかを示す情報とに基づき、ジャンル検索モードに応じたＥＰＧデータ、すなわち検索条件を満たす番組のタイトルなどの情報と現在選択されている番組に関する番組情報とをＥＰＧデータ記憶部４から読み出してＥＰＧ画面作成部５に送ると共に、ジャンル検索モードに応じた画面レイアウトの情報を画面レイアウト情報記憶部９から読み出してＥＰＧ画面作成部５に送る。これにより、ＥＰＧ画面作成部５によってジャンル検索画面の画像信号が作成される。
【００７６】
その結果、図８に示すＥＰＧ画面４０（ジャンル検索画面）が表示部１０に表示された状態となる。なお、検索の結果、検索条件を満たす番組が見つからなかった場合に、図８に示すＥＰＧ画面４０に代えて、図９に示すＥＰＧ画面４０が表示部１０に表示される。
【００７７】
ＥＰＧ画面４０は、図８または図９に示すように、番組情報表示領域２１（ただし、この状態では番組情報は表示されない）と、日時に関する検索条件を表示する日時検索条件表示領域４１と、ジャンルに関する検索条件を表示するジャンル検索条件表示領域４２と、日時に関する検索条件およびジャンルに関する検索条件の両方を満たす複数の番組の一覧を表示するための検索結果表示領域（一覧表示領域）４３と、操作ガイダンス表示領域２３とを含んでいる。
【００７８】
日時検索条件表示領域４１は、日時に関する検索条件として選択可能な複数の時間帯（この例では６時間単位）を横方向に並べて表示するようになっている。日時検索条件表示領域４１では、常にいずれか１つの時間帯が選択された状態となる。ＥＰＧ画面４０を起動したときには、日時検索条件として初期設定の検索条件、例えば現在時刻を含む時間帯が選択され、選択された時間帯がハイライト表示される。また、日時検索条件表示領域４１では、ユーザが、リモコン２００の左右カーソルキー２０４・２０５を用いてカーソル（ハイライト表示部分）を所望の時間帯の位置に移動させることによって、その時間帯を選択することができるようになっている。ユーザが時間帯を選択したときには、ユーザによって選択された時間帯が日時に関する検索条件として選択され、選択された時間帯がハイライト表示される。
【００７９】
ジャンル検索条件表示領域４２は、ジャンルに関する検索条件として選択可能な複数のジャンルの名称を縦方向に並べて表示するようになっている。また、ジャンル検索条件表示領域４２は、ジャンルの名称の前にそのジャンルを示すアイコンを表示するようになっている。ジャンル検索条件表示領域４２では、常にいずれか１つのジャンルが選択された状態となる。ＥＰＧ画面４０を起動したときには、ジャンルに関する検索条件として初期設定の検索条件、例えば一番上に表示されているジャンル（この例では「ニュース／報道」）が選択され、選択されたジャンルの名称がハイライト表示される。また、ジャンル検索条件表示領域４２では、ユーザが、リモコン２００の上下カーソルキー２０３・２０６を用いてカーソル（ハイライト表示部分）を所望のジャンルの名称の位置に移動させることによって、そのジャンルを選択することができるようになっている。ユーザがジャンルを選択したときには、ユーザによって選択されたジャンルがジャンルに関する検索条件として選択され、選択されたジャンルがハイライト表示される。
【００８０】
検索結果表示領域４３は、日時に関する検索条件およびジャンルに関する検索条件の両方を満たす複数の番組に関する情報を表示する行を縦方向に並べたものである。各行には、チャンネルのロゴ、放送局名、チャンネルを選択するボタンとして予め登録されているリモコン２００のチャンネルボタンの番号、チャンネル番号、番組のタイトル、および放送時間が表示されている。
【００８１】
図８および図９に示すＥＰＧ画面４０では、ＥＰＧ画面２０における表示位置と同一の位置（表示部１０のスクリーンの上部）に、空白の番組情報表示領域２１を表示するようになっている。そのため、ＥＰＧ画面２０から図８または図９に示すＥＰＧ画面４０へ切り替えた後に、ユーザが、現在選択されている番組がないことを速やかにかつ容易に確認することができる。
【００８２】
図８に示すＥＰＧ画面４０（ジャンル検索画面）が表示された状態では、図７に示すように、デジタル放送テレビ１００が、ユーザがリモコン２００の青ボタン２０９および決定ボタン２０７のいずれかを押下するまで、ＥＰＧ画面４０を表示し続ける（Ｓ２４のＮＯ、Ｓ２５のＮＯ）。
【００８３】
図８に示すＥＰＧ画面４０（ジャンル検索画面）が表示された状態で、ユーザが青ボタン２０９を押下すると（Ｓ２４のＹＥＳ）、デジタル放送テレビ１００は、ジャンル検索モードから基本表示モードに切り替わり、図１に示すＥＰＧ画面２０（基本画面）を表示部１０に表示させた状態に戻る。
【００８４】
一方、図８に示すＥＰＧ画面４０（ジャンル検索画面）が表示された状態で、ユーザが決定ボタン２０７を押下すると（Ｓ２５のＹＥＳ）、検索結果表示領域４３にフォーカスが当てられる（Ｓ２６）。すなわち、ＥＰＧ制御部８は、初期設定の選択条件あるいはユーザからの選択指示に基づき、検索結果表示領域４３に表示された番組の１つを選択し、選択した番組の行をハイライト表示すると共に、ユーザによる上下カーソルキー２０３・２０６を用いた番組の選択（ハイライト表示部分の移動）を可能とする。また、ＥＰＧ制御部８は、どの番組を選択しているかを示す情報に基づき、その番組に関する番組情報をＥＰＧデータ記憶部４から読み出してＥＰＧ画面作成部５に送ることで、表示画面４０の番組情報表示領域２１に番組情報を表示させる（Ｓ２７）。
【００８５】
その結果、図１０に示すＥＰＧ画面４０（ジャンル検索画面；第３の表示画面）が表示部１０に表示された状態となる。
【００８６】
ＥＰＧ画面４０は、図１０に示すように、ＥＰＧ画面２０における表示位置と同一の位置（表示部１０のスクリーンの上部）に配置された番組情報表示領域２１に番組情報を表示するようになっている。そのため、ＥＰＧ画面２０から図１０に示すＥＰＧ画面４０へ切り替えた後に、ユーザが、現在選択されている番組に関する番組情報を速やかにかつ容易に確認することができる。
【００８７】
図１０に示すＥＰＧ画面４０は、ＥＰＧ画面２０と同様に、番組の視聴または予約に用いることができる。すなわち、ユーザが視聴または予約したい番組を上下カーソルキー２０３・２０６で選び、決定ボタン２０７を押すと、選択した番組の視聴または予約を行うことができる。デジタル放送テレビ１００は、放送中の番組が選択されたときには選択された番組を選局し、未放送の番組が選択されたときには、予約選択画面に移行する。
【００８８】
図１０に示すＥＰＧ画面４０（ジャンル検索画面）が表示された状態では、図７に示すように、デジタル放送テレビ１００が、ユーザがリモコン２００の青ボタン２０９を押下するまで、ＥＰＧ画面４０を表示し続ける（Ｓ２８のＮＯ）。図１０に示すＥＰＧ画面４０（ジャンル検索画面）が表示された状態で、ユーザが青ボタン２０９を押下すると（Ｓ２８のＹＥＳ）、デジタル放送テレビ１００は、ジャンル検索モードから基本表示モードに切り替わり、図１に示すＥＰＧ画面２０（基本画面）を表示部１０に表示させた状態に戻る。
【００８９】
〔日時検索モード〕
日時検索モードは、日時を指定して番組を探すことができるモードである。日時検索モードでは、デジタル放送テレビ１００が、番組表の中から特定の日および時間帯（この例では６時間単位）の番組を抜き出し、抜き出した番組の一覧を含む表示画面を表示部１０に表示させる。
【００９０】
図１１に示すように、図１に示す基本画面２０が表示された状態では、デジタル放送テレビ１００は、ユーザがリモコン２００の緑ボタン２１１を押下するまで（ただし、ユーザがリモコン２００の終了ボタン２０８またはカラーボタン２０９・２１０・２１２を押下しない限り）、基本画面２０を表示し続ける（Ｓ３１のＮＯ）。
【００９１】
そして、ＥＰＧ制御部８は、ユーザがリモコン２００の緑ボタン２１１を押下すると（Ｓ３１のＹＥＳ）、すなわち、基本画面２０から日時検索画面への切り替えを指示する指示信号をリモコン受光部７から受け取ると、デジタル放送テレビ１００は、基本表示モードから日時検索モードに切り替わり、番組情報表示領域を消去し（Ｓ２２）、デジタル放送の放送局から受信したＥＰＧデータに基づいて、特定の時間帯の番組の一覧を表示する日時検索画面を表示する（Ｓ３３）。
【００９２】
より詳細には、検索部１３が、まず、初期設定の検索条件、あるいはユーザによって指定された検索条件に基づいて、ＥＰＧデータ記憶部４に記憶されたＥＰＧデータ中に含まれる各番組の情報から日時検索条件を満たす番組を検索し、検索結果をＥＰＧ制御部８に送る。ＥＰＧ制御部８は、初期設定の選択条件あるいはユーザからの選択指示に基づき、検索により見つかった番組（日時検索条件を満たす番組）の中から１つの番組を選択した後、どの番組を選択しているかを示す情報に基づき、日時検索モードに応じたＥＰＧデータ、すなわち検索条件を満たす番組のタイトルなどの情報などをＥＰＧデータ記憶部４から読み出してＥＰＧ画面作成部５に送ると共に、日時検索モードに応じた画面レイアウトの情報を画面レイアウト情報記憶部９から読み出してＥＰＧ画面作成部５に送る。これにより、ＥＰＧ画面作成部５によって日時検索画面の画像信号が作成される。
【００９３】
その結果、図１２に示すＥＰＧ画面５０（日時検索画面）が表示部１０に表示された状態となる。ＥＰＧ画面５０は、図１２に示すように、日時検索条件（６時間単位の時間帯）を表示すると共にユーザによる左右カーソルキー２０４・２０５を用いた日時検索条件（６時間単位の時間帯）の選択を可能にするための日時検索条件表示領域５１と、日時検索条件（６時間単位の時間帯）に対応するＥＰＧを表示するためのＥＰＧ表示領域２２Ｂと、操作ガイダンス表示領域２３とを含んでいる。
【００９４】
図１２に示すＥＰＧ画面５０（日時検索画面）が表示された状態では、図１１に示すように、デジタル放送テレビ１００が、ユーザがリモコン２００の青ボタン２０９または決定ボタン２０７を押下するまで、ＥＰＧ画面５０を表示し続ける（Ｓ３４のＮＯ）。図１２に示すＥＰＧ画面５０（日時検索画面）が表示された状態で、ユーザが青ボタン２０９または決定ボタン２０７を押下すると（Ｓ３４のＹＥＳ）、デジタル放送テレビ１００は、日時検索モードから基本表示モードに切り替わり、図１に示すＥＰＧ画面２０（基本画面）を表示部１０に表示させた状態に戻る。
【００９５】
なお、図１２に示す日時検索画面（ＥＰＧ画面５０）では、番組情報表示領域を設けていなかったが、空白の番組情報表示領域を設けてもよい。
【００９６】
〔予約済み番組一覧モード〕
予約済み番組一覧モードは、ＥＰＧ中の予約済みの番組を一覧表示する予約リスト画面を表示させ、ユーザが予約の確認・取消し・変更を行うことができるようにするモードである。
【００９７】
予約処理は、図示しない予約処理部によって、前述した予約選択画面（図示しない）に対するユーザの指示に基づいて行われる。このとき、予約処理部は、予約処理を行うと、予約された番組や予約の種類（視聴予約か録画予約か）などのような、予約処理に関する情報（予約情報）を予約情報記憶部１４に記憶させる。
【００９８】
図１３に示すように、図１に示す基本画面２０が表示された状態では、デジタル放送テレビ１００は、ユーザがリモコン２００の黄ボタン２１２を押下するまで（ただし、ユーザがリモコン２００の終了ボタン２０８またはカラーボタン２０９〜２１１を押下しない限り）、基本画面２０を表示し続ける（Ｓ４１のＮＯ）。
【００９９】
そして、ＥＰＧ制御部８は、ユーザがリモコン２００の黄ボタン２１２を押下すると（Ｓ４１のＹＥＳ）、すなわち、基本画面２０から予約リスト画面への切り替えを指示する指示信号をリモコン受光部７から受け取ると、デジタル放送テレビ１００は、基本表示モードから予約済み番組一覧モードに切り替わり、デジタル放送の放送局から受信したＥＰＧデータおよび予約情報に基づいて、予約済みの番組の一覧を表示する領域と番組情報表示領域とを含む予約リスト画面を表示する（Ｓ４２）。同時に、デジタル放送テレビ１００は、予約リスト画面の番組情報表示領域に、選択されている番組に関する番組情報を表示する（Ｓ４３）。
【０１００】
より詳細には、ＥＰＧ制御部８が、予約情報記憶部に記憶された予約情報と、初期設定の選択条件あるいはユーザからの選択指示とに基づき、予約済みの番組の中から１つの番組を選択した後、どの番組を選択しているかを示す情報に基づき、予約済み番組一覧モードに応じたＥＰＧデータ、すなわち予約済みの番組のタイトルなどの情報と現在選択されている番組に関する番組情報とをＥＰＧデータ記憶部４から読み出してＥＰＧ画面作成部５に送ると共に、予約済み番組一覧モードに応じた画面レイアウトの情報を画面レイアウト情報記憶部９から読み出してＥＰＧ画面作成部５に送る。これにより、ＥＰＧ画面作成部５によって番組情報表示領域を含む予約リスト画面の画像信号が作成される。
【０１０１】
その結果、図１４に示すＥＰＧ画面６０（予約リスト画面；第３の表示画面）が表示部１０に表示された状態となる。
【０１０２】
ＥＰＧ画面６０は、図１４に示すように、番組情報表示領域２１と、予約済みの複数の番組の一覧を表示するための予約リスト表示領域（一覧表示領域）６１と、操作ガイダンス表示領域２３とを含んでいる。
【０１０３】
予約リスト表示領域６１は、予約済みの複数の番組に関する情報を表示する行を縦方向に並べたものである。各行には、予約の種類（視聴予約か録画予約か）、チャンネルのロゴ、放送局名、チャンネルを選択するボタンとして予め登録されているリモコン２００のチャンネルボタンの番号、チャンネル番号、番組のタイトル、および放送時間が表示されている。予約リスト表示領域６１は、選択された番組の行をハイライト表示すると共に、ユーザによる上下カーソルキー２０３・２０６を用いた番組の選択（ハイライト表示部分の移動）を可能とするようになっている。
【０１０４】
図１４に示すＥＰＧ画面６０（予約リスト画面）が表示された状態では、図１３に示すように、デジタル放送テレビ１００が、ユーザがリモコン２００の青ボタン２０９を押下するまで、ＥＰＧ画面６０を表示し続ける（Ｓ４４のＮＯ）。図１４に示すＥＰＧ画面６０（予約リスト画面）が表示された状態で、ユーザが青ボタン２０９を押下すると（Ｓ４４のＹＥＳ）、デジタル放送テレビ１００は、予約済み番組一覧モードから基本表示モードに切り替わり、図１に示すＥＰＧ画面２０（基本画面）を表示部１０に表示させた状態に戻る。
【０１０５】
表示画面６０では、ユーザが現在の予約内容を確認できる。また、表示画面６０では、予約リストが一度に表示できない場合には、上下カーソルキー２０３・２０６を操作することにより予約リストを上下にスクロールして予約リストの全体を表示できるようになっている。
【０１０６】
そして、ＥＰＧ画面６０は、番組情報表示領域２１を、ＥＰＧ画面２０における表示位置と同一の位置（表示部１０のスクリーンの上部）に表示するようになっている。そのため、ＥＰＧ画面２０からＥＰＧ画面６０へ切り替えた後に、ユーザが、現在選択されている番組に関する番組情報を速やかにかつ容易に確認することができる。
【０１０７】
表示画面６０では、ユーザが予約の確認・取消し・変更を行うことができる。すなわち、表示画面６０が表示されている状態で、ユーザが、上下カーソルキー２０３・２０６で番組を選択し、決定ボタン２０７を押せば、表示画面６０に代えて予約設定画面が表示されるようになっている。この予約設定画面は、選択した番組に関する予約設定情報（予約情報記憶部１４に記憶された内容）を表示するようになっている。また、この予約設定画面では、選択した番組の予約を取消しまたは変更する指示をユーザが入力することができる。
【０１０８】
なお、上述の説明では、本発明の番組情報表示装置が、デジタル放送波を受信し、受信したデジタル放送波に含まれるＥＰＧデータに基づいてデジタル放送の電子番組表を表示するデジタル放送受信機能付きテレビである場合について説明したが、これに限るものではない。本発明の番組情報表示装置は、ケーブルテレビの回線を通してデジタル放送信号を受信し、受信したデジタル放送信号に含まれるＥＰＧデータに基づいてデジタル放送の電子番組表を表示するテレビや、アナログ放送またはデジタル放送を受信すると共に、インターネット経由でＥＰＧデータを取得し、取得した電子番組表情報に基づいて電子番組表を表示するテレビなどにも適用可能である。
【０１０９】
また、本発明において、番組情報表示領域を含む表示画面は、ＥＰＧデータに基づいて、電子番組表や番組リスト（電子番組表から抜き出された複数の番組の一覧）などのような複数の番組に関する情報を表示するものであれば、前述した表示画面に限定されるものではない。
【０１１０】
番組情報表示領域を含む表示画面は、例えば、キーワード検索（例えば、ユーザによって指定されたキーワードが、タイトルや出演者名等の番組情報に含まれる番組を、番組表（ＥＰＧデータ）に含まれる番組の中から検索するもの）を行うと共に検索条件に合致した番組の一覧を表示するためのキーワード検索画面などであってもよい。
【０１１１】
また、切り替えられる複数の表示画面のうち、１つが、図１５に示すような、裏番組表を表示する裏番組表表示領域（番組表表示領域）７１と番組情報表示領域２１とを含む表示画面７０（第１の表示画面）であり、他の１つが、図１６に示す裏番組表表示領域７１と番組情報表示領域２１と詳細番組情報表示領域３１を含む表示画面８０（第２の表示画面）であってもよい。裏番組表は、番組の視聴中に、ＥＰＧデータに含まれる番組のうちで現在放送中の他の番組の一覧を示すものである。
【０１１２】
図１５に示す表示画面７０は、番組表ボタン２０１の押下による表示画面２０の起動処理（図４）と同様にして、番組を視聴中に、裏番組表ボタン２０２の押下により起動される。また、図１６に示す表示画面８０は、青ボタン２０９の押下による表示画面２０から表示画面３０への切り替え処理（図５）と同様にして、青ボタン２０９の押下により表示画面７０から切り替えられる。
【０１１３】
そして、ＥＰＧ画面８０は、番組情報表示領域２１を、ＥＰＧ画面７０における表示位置と同一の位置（表示部１０のスクリーンの上部）に表示するようになっている。そのため、ＥＰＧ画面７０からＥＰＧ画面８０へ切り替えた後に、ユーザが、現在選択されている番組に関する番組情報を速やかにかつ容易に確認することができる。
【０１１４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１１５】
最後に、番組情報表示装置のブロック、特にＥＰＧ制御部は、ハードウェアロジックによって構成してもよいし、次のようにＣＰＵを用いてソフトウェアによって実現してもよい。
【０１１６】
すなわち、番組情報表示装置は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである番組情報表示装置の制御プログラムのプログラムコード（実行形式プログラム、中間コードプログラム、ソースプログラム）をコンピュータで読み取り可能に記録した記録媒体を、上記番組情報表示装置に供給し、そのコンピュータ（またはＣＰＵやＭＰＵ）が記録媒体に記録されているプログラムコードを読み出し実行することによっても、達成可能である。
【０１１７】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１１８】
また、番組情報表示装置を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１１９】
本発明は、電子番組表情報に基づいて複数の番組に関する情報を表示する番組情報表示装置、例えば、デジタル放送波を受信し、受信したデジタル放送波に含まれるＥＰＧデータに基づいてデジタル放送の電子番組表を表示するデジタル放送受信機能付きテレビなどにおいて、ユーザの利便性を向上させるために利用できる。
【図面の簡単な説明】
【０１２０】
【図１】本発明の実施の一形態に係る番組情報表示装置で表示される基本画面の一例を示す図である。
【図２】本発明の実施の一形態に係る番組情報表示装置の構成を示すブロック図である。
【図３】本発明の実施の一形態に係る番組情報表示装置と組み合わせて使用されるリモートコントローラの構成を示す平面図である。
【図４】本発明の実施の一形態に係る番組情報表示装置における、基本画面の表示処理の流れを示すフローチャートである。
【図５】本発明の実施の一形態に係る番組情報表示装置における、基本画面から番組情報画面への切り替え処理の流れを示すフローチャートである。
【図６】本発明の実施の一形態に係る番組情報表示装置で表示される番組情報画面の一例を示す図である。
【図７】本発明の実施の一形態に係る番組情報表示装置における、基本画面からジャンル検索画面への切り替え処理の流れを示すフローチャートである。
【図８】本発明の実施の一形態に係る番組情報表示装置で表示されるジャンル検索画面の一例を示す図である。
【図９】本発明の実施の一形態に係る番組情報表示装置で表示されるジャンル検索画面の他の一例を示す図である。
【図１０】本発明の実施の一形態に係る番組情報表示装置で表示されるジャンル検索画面のさらに他の一例を示す図である。
【図１１】本発明の実施の一形態に係る番組情報表示装置における、基本画面から日時検索画面への切り替え処理の流れを示すフローチャートである。
【図１２】本発明の実施の一形態に係る番組情報表示装置で表示される日時検索画面の一例を示す図である。
【図１３】本発明の実施の一形態に係る番組情報表示装置における、基本画面から予約リスト画面への切り替え処理の流れを示すフローチャートである。
【図１４】本発明の実施の一形態に係る番組情報表示装置で表示される予約リスト画面の一例を示す図である。
【図１５】裏番組表および番組情報表示領域を含む表示画面の一例を示す図である。
【図１６】裏番組表および番組情報表示領域を含む表示画面の一例を示す図である。
【符号の説明】
【０１２１】
１    アンテナ
２    チューナ部
３    デマルチプレクサ部
４    ＥＰＧデータ記憶部
５    ＥＰＧ画面作成部
６    ＥＰＧ画面出力部
７    リモコン受光部
８    ＥＰＧ制御部（表示制御手段）
９    画面レイアウト情報記憶部
１０    表示部
１０ａ  スクリーン
１１    映像・音声デコード部
１２    音声出力部
１３    検索部
１４    予約情報記憶部
２０    ＥＰＧ画面（第１の表示画面）
２１    番組情報表示領域
２２    ＥＰＧ表示領域
２２Ａ  ＥＰＧ表示領域
２２Ｂ  ＥＰＧ表示領域
２３    操作ガイダンス表示領域
３０    ＥＰＧ画面（第２の表示画面）
３１    詳細番組情報表示領域
４０    ＥＰＧ画面（第３の表示画面）
４１    日時検索条件表示領域
４２    ジャンル検索条件表示領域
４３    検索結果表示領域
６０    ＥＰＧ画面（第３の表示画面）
６１    予約リスト表示領域
１００    デジタル放送テレビ
２００    リモコン
【図１】
2006210965.tif 000003
【図２】
2006210965.tif 000004
【図３】
2006210965.tif 000005
【図４】
2006210965.tif 000006
【図５】
2006210965.tif 000007
【図６】
2006210965.tif 000008
【図７】
2006210965.tif 000009
【図８】
2006210965.tif 000010
【図９】
2006210965.tif 000011
【図１０】
2006210965.tif 000012
【図１１】
2006210965.tif 000013
【図１２】
2006210965.tif 000014
【図１３】
2006210965.tif 000015
【図１４】
2006210965.tif 000016
【図１５】
2006210965.tif 000017
【図１６】
2006210965.tif 000018